(57)【要約】アップリンクスケジューリングアクセス制御方法であって、（１）ユーザエクイップメントＵＥ側のアップリンク増強型メディアアクセス制御ＭＡＣ層制御エンティティは、今回のアップリンク増強型アクセスの伝送フォーマットとアクセスサービスレベルＡＳＣとアップリンクスケジューリング情報とを配置し、ランダムアクセスタイプをアップリンク増強型ランダムアクセスになるよう配置することと、（２）ＵＥ側のアップリンク増強型ＭＡＣ層制御エンティティは、物理層へランダムアクセス要求を発し、要求においては前記の伝送フォーマットとＡＳＣとランダムアクセスタイプとアップリンクスケジューリング情報とを運ぶことと、および（３）ＵＥ側の物理層は、受信されたランダムアクセス要求に運ばれた伝送フォーマットとＡＳＣとランダムアクセスタイプとに基づき、対応なアップリンク同期符号と物理ランダムアクセスチャンネルリソースを選択してランダムアクセスプロセスを発し、アップリンクスケジューリング情報を送信することを含む。当該方法によれば、アップリンク増強型技術におけるアップリンクスケジューリングアクセスの制御課題を解決することができる。
2010520679.tif 000002
【特許請求の範囲】
【請求項１】
アップリンクスケジューリングアクセス制御方法であって、
（１）ユーザエクイップメントＵＥ側のアップリンク増強型メディアアクセス制御ＭＡＣ層制御エンティティは、今回のアップリンク増強型アクセスの伝送フォーマットとアクセスサービスレベルＡＳＣとアップリンクスケジューリング情報とを配置し、ランダムアクセスタイプをアップリンク増強型ランダムアクセスになるよう配置し、
（２）ＵＥ側のアップリンク増強型ＭＡＣ層制御エンティティは、物理層へランダムアクセス要求を発し、要求においては前記の伝送フォーマットとＡＳＣとランダムアクセスタイプとアップリンクスケジューリング情報とを携帯し、
（３）ＵＥ側の物理層は、受信されたランダムアクセス要求に携帯された伝送フォーマットとＡＳＣとランダムアクセスタイプとに基づき、対応なアップリンク同期符号と物理ランダムアクセスチャンネルリソースを選択してランダムアクセスプロセスを発し、アップリンクスケジューリング情報を送信することを含むアップリンクスケジューリングアクセス制御方法。
【請求項２】
前記の伝送フォーマットの配置様態は、
無線ネットワークコントローラＲＮＣがセルシステム放送によりＵＥへ送信されたシステム情報において、アップリンク増強型ランダムアクセスのための伝送フォーマット及び/或いは伝送時間間隔を１種配置して指示し、
ステップ（１）において、前記のＵＥ側のアップリンク増強型ＭＡＣ層制御エンティティは、伝送フォーマットを、システム情報に指示された伝送フォーマット、或いは、システム情報に指示された伝送時間間隔を有する伝送フォーマットに配置することを特徴とする請求項１に記載の方法。
【請求項３】
前記のステップ（１）において、前記の伝送フォーマットの配置様態は、
前記のＵＥ側アップリンク増強型ＭＡＣ層制御エンティティは、ＵＥ識別とシステム情報におけるランダムアクセスチャンネルの伝送フォーマット数とに基づき、モジュロ演算を行い、配置しようとする１種の伝送フォーマットを選択し、
或いは、前記のＵＥ側アップリンク増強型ＭＡＣ層制御エンティティは、ＵＥ識別と、システム情報におけるランダムアクセスチャンネルの伝送時間間隔数とに基づき、モジュロ演算を行い、伝送時間間隔を１種選出して、当該伝送時間間隔を有する伝送フォーマットを１種選択して配置することを特徴とする請求項１に記載の方法。
【請求項４】
前記のＵＥ識別は、国際移動ユーザ識別と全局移動通信システム無線ネットワーク一時識別とセル無線ネットワーク一時識別のうちの１種或いはその組合であることを特徴とする請求項３に記載の方法。
【請求項５】
前記のステップ（１）において、前記のＵＥ側アップリンク増強型ＭＡＣ層制御エンティティは、システム情報内における、異なる伝送時間間隔を有する複数の種類の伝送フォーマットから、伝送フォーマットを自ら１種選択することを特徴とする請求項１に記載の方法。
【請求項６】
前記のＵＥ側アップリンク増強型ＭＡＣ層制御エンティティの伝送フォーマットに対する選択様態は、ランダム選択や、サービスに関する優先度及び/或いは伝送フォーマットの優先度に基づいた選択や、伝送フォーマットにおける伝送時間間隔の長さに基づいた選択であって、或いは前記の様態の組合であることを特徴とする請求項５に記載の方法。
【請求項７】
前記のステップ（１）において、前記のＡＳＣの配置は、
前記のＵＥ側のアップリンク増強型ＭＡＣ層制御エンティティは、本セルに配置されたＡＳＣ、及び今回のアップリンク増強型アクセス要求の時に係る全てのサービスロジックチャンネルのＭＡＣロジックチャンネル優先度ＭＬＰに基づき、今回のアップリンク増強型アクセス要求のＡＳＣを確定するのを含むことを特徴とする請求項１に記載の方法。
【請求項８】
本セルの全ての利用可能なＡＳＣのうち優先度の最も低いＡＳＣと、全てのロジックチャンネルのＭＬＰのうち優先度の最も高いＭＬＰとを比較し、前記ＵＥ側のアップリンク増強型ＭＡＣ層制御エンティティは、これらの２つから、より高い１つの優先度を、アップリンク増強型アクセス要求のＡＳＣとして選択することを特徴とする請求項７に記載の方法。
【請求項９】
前記ＡＳＣの配置様態は、
無線リソース制御層により、システム情報或いは無線リソース制御層情報で今回のアップリンク増強型アクセス要求のＡＳＣを配置し、ステップ（１）における前記のUE側のアップリンク増強型ＭＡＣ層制御エンティティは、当該ＡＳＣを直接に利用することを特徴とする請求項１に記載の方法。
【請求項１０】
前記のアップリンクスケジューリングアクセス制御方法が利用されるシステムは、時分割同期符号分割多重アクセスシステムを含む時分割二重システムであることを特徴とする請求項１〜９のいずれに記載の方法。
【発明の詳細な説明】
【技術分野】
【０００１】
本発明は、無線通信分野に関し、特に、アップリンクスケジューリングアクセス制御方法に関し、時分割同期符号分割多重アクセスシステムを含む時分割二重（ＴＤＤ）システムに利用する。
【背景技術】
【０００２】
第三世代移動通信システム標準の一つであるＴＤ−ＳＣＤＭＡ（時分割同期符号分割多重アクセス、Ｔｉｍｅ  Ｄｉｖｉｓｉｏｎ―Ｓｙｎｃｈｒｏｎｏｕｓ  Ｍｕｌｔｉｐｌｅ  Ａｃｃｅｓｓ）無線通信システムのアップリンク増強型技術において、アップリンク増強型サービスリソースは、Ｎｏｄｅ  Ｂによりスケジューリングの様態で割り当てられる。ユーザエクイップメントＵＥ（Ｕｓｅｒ  Ｅｑｕｉｐｍｅｎｔ）はアップリンク増強型様態でアップリンクデータを送信する必要がある場合、ＵＥは、まずアップリンクスケジューリング申し込みを行った後に、Ｎｏｄｅ  Ｂによりアップリンク増強型サービスリソースが認証されることを待ってから送信することが必要である。アップリンクスケジューリングアクセスとは、認証されていないアップリンク増強型サービスリソースの場合、ＵＥがＮｏｄｅ  Ｂへアップリンクスケジューリング申し込みを送信するプロセスである。ＴＤ−ＳＣＤＭＡシステムにおいて、当該申し込みプロセスは、一般的にランダムアクセスの様態で実現される。
【０００３】
ＴＤ−ＳＣＤＭＡシステムにおいて、ランダムアクセスプロセスは、ＭＡＣ（メディアアクセス制御）層と物理層と共に制御され完成されるものである。アップリンク増強型技術を導入する後に、ＭＡＣ層は、２種類の異なるエンティティにより、異なるランダムアクセス要求が制御され、ここで、ＭＡＣ−ｃ/ｓｈエンティティ（共通/共用ＭＡＣ層制御エンティティ）は、伝送チャンネルＲＡＣＨ（ランダムアクセスチャンネル）にトリガーされたランダムアクセス要求を制御し、ＭＡＣ−ｅエンティティ（アップリンク増強型ＭＡＣ層制御エンティティ）は、アップリンクスケジューリングアクセスのランダムアクセス要求を制御する。
【０００４】
ＴＤ−ＳＣＤＭＡシステムにおいて、ランダムアクセスプロセスは、さらに２つの前後のプロセス、即ち、アップリンク同期プロセスとデータ送信プロセスとを含む。アップリンク同期プロセスにおいて、アップリンク同期符号（アップリンク同期符号はシグネチャー（ｓｉｇｎａｔｕｒｅ）ともいう）の選択と送信と受信のプロセスには、ランダムアクセスプロセスにおけるアップリンク共通チャンネルリソース/物理ランダムアクセスチャンネル（ＰＲＡＣＨ）の競合共用の割当様態が集中的に表現された。従って、前記の２つの異なるランダムアクセス要求に対し、異なるアップリンク同期符号を配置するが、同じＰＲＡＣＨ物理チャンネルリソース及びその配置を共用することは可能である。ＭＡＣはランダムアクセス要求を発する時に、ランダムアクセスタイプを物理層に送信することが必要である。
【０００５】
ランダムアクセスプロセスにおいて、異なるサービスと種類のランダムアクセス要求のために対、異なる優先度を提供する。ＴＤ−ＳＣＤＭＡシステムにおいて、ランダムアクセス優先度は、アクセスサービスレベル、即ちＡＳＣ（Ａｃｃｅｓｓ  Ｓｅｒｖｉｃｅ  Ｃｌａｓｓ）として表現される。また、ＴＤ−ＳＣＤＭＡシステムにおいて、異なる属性を有するＰＲＡＣＨ物理チャンネルリソースを同時に複数配置することができ、そのなかに、伝送時間間隔が含まれる。ＴＤ−ＳＣＤＭＡシステムのランダムアクセスプロセスにおいて、ＡＳＣと伝送フォーマットは一般的にＭＡＣ層エンティティにより選択制御される。ＭＡＣエンティティは物理層にランダムアクセス要求を発して物理層ランダムアクセスプロセスをトリガーする時に、選択されたＡＳＣと伝送フォーマットを物理層に送信する。その後、物理層はＡＳＣと伝送フォーマット、及びランダムアクセスリソース配置に基づき、相応なＰＲＡＣＨ物理チャンネルリソースを選択してランダムアクセス情報を送信する。
【０００６】
ＴＤ−ＳＣＤＭＡシステムのアップリンク増強型技術において、アップリンクスケジューリングアクセスのランダムアクセスプロセスのために定義された物理チャンネルは、アップリンク増強型ランダムアクセスアップリンク制御チャンネル（Ｅ−ＤＣＨ  Ｒａｎｄｏｍ  Ａｃｃｅｓｓ  Ｕｐｌｉｎｋ  Ｃｏｎｔｒｏｌ  Ｃｈａｎｎｅｌ、Ｅ−ＲＵＣＣＨ）であり、当該Ｅ−ＲＵＣＣＨは、その前にＲＡＣＨランダムアクセスのために定義されたＰＲＡＣＨ物理チャンネルと共に、同じ物理チャンネルリソース及びその配置を共用し、ここで、その配置は、無線ネットワークコントローラＲＮＣ（Ｒａｄｉｏ  Ｎｅｔｗｏｒｋ  Ｃｏｎｔｒｏｌｌｅｒ）により配置された、セルシステム情報放送によってＵＥへ送信された情報及びＮＢＡＰによってＮｏｄｅ  Ｂに送信された情報を含む。しかし、ＲＡＣＨランダムアクセスと比べると、アップリンクスケジューリングアクセスのランダムアクセスには異なることが多い。従って、アップリンクスケジューリングアクセスのランダムアクセスプロセスに対する制御を実現し、且つ、ＲＡＣＨランダムアクセスプロセスと共に、同じＰＲＡＣＨ物理チャンネルリソース及びその配置を共用するために、アップリンクスケジューリングアクセスの制御方法を提供することが必要である。
【発明の概要】
【発明が解決しようとする課題】
【０００７】
本発明が解決しようとする技術課題は、アップリンクスケジューリングアクセス制御方法を提供することにあり、時分割同期符号分割多重アクセスシステムを含む時分割二重システムに利用され、アップリンクスケジューリングアクセスのランダムアクセスプロセスに対する制御を実現する。
【課題を解決するための手段】
【０００８】
前記の技術課題を解決するために、本発明は、アップリンクスケジューリングアクセス制御方法であって、（１）ユーザエクイップメントＵＥ側のアップリンク増強型メディアアクセス制御ＭＡＣ層制御エンティティは、今回のアップリンク増強型アクセスの伝送フォーマットとアクセスサービスレベルＡＳＣとアップリンクスケジューリング情報とを配置し、ランダムアクセスタイプをアップリンク増強型ランダムアクセスになるよう配置し、（２）ＵＥ側のアップリンク増強型ＭＡＣ層制御エンティティは、物理層へランダムアクセス要求を発し、要求においては前記の伝送フォーマットとＡＳＣとランダムアクセスタイプとアップリンクスケジューリング情報とを携帯し、（３）ＵＥ側の物理層は、受信されたランダムアクセス要求に携帯された伝送フォーマットとＡＳＣとランダムアクセスタイプとに基づき、相応なアップリンク同期符号と物理ランダムアクセスチャンネルリソースを選択して、ランダムアクセスプロセスを発し、アップリンクスケジューリング情報を送信することを含むアップリンクスケジューリングアクセス制御方法を提供する。
【０００９】
更に、前記の伝送フォーマットの配置様態は、無線ネットワークコントローラＲＮＣでセルシステム情報放送によりＵＥへ送信されたシステム情報において、アップリンク増強型ランダムアクセスのための伝送フォーマット及び/或いは伝送時間間隔を１種配置及び指示し、ステップ（１）において、前記のＵＥ側のアップリンク増強型ＭＡＣ層制御エンティティは、伝送フォーマットを、システム情報に指示された伝送フォーマット、或いは、システム情報に指示された伝送時間間隔を有する伝送フォーマットになるよう配置する。
【００１０】
更に、前記のステップ（１）において、前記の伝送フォーマットの配置様態は、前記のＵＥ側アップリンク増強型ＭＡＣ層制御エンティティは、ＵＥ識別（identifier）とシステム情報におけるランダムアクセスチャンネルの伝送フォーマット数に基づき、モジュロ演算（mode）を行い、配置しようとする１種の伝送フォーマットを選出し、或いは、前記のＵＥ側アップリンク増強型ＭＡＣ層制御エンティティは、ＵＥ識別とシステム情報におけるランダムアクセスチャンネルの伝送時間間隔数に基づき、モジュロ演算を行い、伝送時間間隔を１種選出して、当該伝送時間間隔を有する伝送フォーマットを１種選択及び配置する。
【００１１】
更に、前記のＵＥ識別は、国際移動ユーザ識別と全局（Universal）移動通信システム無線ネットワーク一時（temporary）識別とセル無線ネットワーク一時識別のうちの１種或いはその組合である。
【００１２】
更に、前記のステップ（１）において、前記のＵＥ側アップリンク増強型ＭＡＣ層制御エンティティは、システム情報内における、異なる伝送時間間隔を有する複数の種類の伝送フォーマットから、１種の伝送フォーマットを自ら選択する。
【００１３】
更に、前記のＵＥ側アップリンク増強型ＭＡＣ層制御エンティティの伝送フォーマットに対する選択様態は、ランダム選択や、サービスに関する優先度及び/或いは伝送フォーマットの優先度に基づいた選択、伝送フォーマットにおける伝送時間間隔の長さに基づいた選択、或いは前記の複数の様態の組合である。
【００１４】
更に、前記のステップ（１）において、前記のＡＳＣの配置は、前記のＵＥ側のアップリンク増強型ＭＡＣ層制御エンティティは、本セルに配置されたＡＳＣ、及び今回のアップリンク増強型アクセス要求の時に係る全てのサービスロジックチャンネルのＭＡＣロジックチャンネル優先度ＭＬＰに基づき、今回のアップリンク増強型アクセス要求のＡＳＣを確定する。
【００１５】
更に、本セルの全ての利用可能なＡＳＣのうち優先度の最も低いＡＳＣと、全てのロジックチャンネルのＭＬＰのうち優先度の最も高いＭＬＰとを比較し、前記のＵＥ側のアップリンク増強型ＭＡＣ層制御エンティティは、これらの２つから、より高い一つの優先度を、アップリンク増強型アクセス要求のＡＳＣとして選択する。
【００１６】
更に、前記ＡＳＣの配置様態は、無線リソース制御層により、システム情報或いは無線リソース制御層情報で今回のアップリンク増強型アクセス要求のＡＳＣを配置し、ステップ（１）における前記のUE側のアップリンク増強型ＭＡＣ層制御エンティティは、当該ＡＳＣを直接に利用する。
【００１７】
更に、前記のアップリンクスケジューリングアクセス制御方法がを利用するシステムは、時分割同期符号分割多重アクセスシステムを含む時分割二重システムである。
【発明の効果】
【００１８】
本方法は、アップリンクスケジューリングアクセス制御のランダムアクセスプロセスに配置されることが必要なパラメーター及びその配置方法を明らかにすると共に、物理層がこれらのパラメーターに基づきランダムアクセスプロセス制御を行う方法を提供することにより、アップリンク増強型技術におけるアップリンクスケジューリングアクセスの制御課題を解決することができる。
【図面の簡単な説明】
【００１９】
【図１】図１は本発明の実施例のフローチャートである。
【発明を実施するための形態】
【００２０】
以下は、図面と具体的な実施例を合わせて、主にＴＤ−ＳＣＤＭＡシステムを対象として、本発明について詳しく説明する。
【００２１】
図１に示すように、本実施例は以下のステップを含む。ここは説明の便利性のためであるが、そのステップ１とステップ２とステップ３とが行われる手順が逆になる可能性があり、当該手順は、時間上の厳密な前後手順を表すことはない。
【００２２】
ステップ１：ＵＥ側のアップリンク増強型ＭＡＣ層制御エンティティは、今回のアップリンク増強型アクセスの伝送フォーマットを配置し、その中で主に伝送時間間隔を配置する。
【００２３】
ＴＤ−ＳＣＤＭＡシステムのアップリンク増強型技術において、アップリンクスケジューリングアクセスのランダムアクセスプロセスは、ＲＡＣＨランダムアクセスプロセスと共に、同じＰＲＡＣＨ物理チャンネルリソース及びその配置を共用し、ここで、ＲＮＣに配置された、セルシステム情報放送によってＵＥへ送信された情報において、ＰＲＡＣＨ物理チャンネルリソースの配置はＲＡＣＨ伝送チャンネルの伝送フォーマットに基づき配置されたものであり、複数の種類の伝送フォーマットのＲＡＣＨ及び相応なＰＲＡＣＨ物理チャンネルリソースを同時に配置することができる。従って、ＲＡＣＨランダムアクセスプロセスにおいて、ＵＥ側アップリンク増強型ＭＡＣ層制御エンティティは、配置情報、及びＲＡＣＨにより発信されることになるサービスデータに基づき、伝送時間間隔（ＴＴＩ）や、伝送ブロック寸法、伝送ブロック数等を含む適切な伝送フォーマットを選択することが必要である。しかし、アップリンクスケジューリングアクセスのランダムアクセス、即ちＥ−ＲＵＣＣＨランダムアクセスプロセスにおいて、サービスデータを送信する必要がおらず、送信されることが必要な情報はスケジューリング情報であり、そのフォーマットが固定であるが、内容が異なる可能性があり、従って、Ｅ−ＲＵＣＣＨランダムアクセスに対し、相応な伝送フォーマットが配置されていない。しかし、物理層においてＲＡＣＨランダムアクセスプロセスと共に、同じＰＲＡＣＨ物理チャンネルリソースとその配置、及びデータ送信プロセスを共用するために、ＵＥ側アップリンク増強型ＭＡＣ層制御エンティティは物理層へＥ−ＲＵＣＣＨランダムアクセス要求を送信する時に、その伝送フォーマットを指示しなければならない。物理層ランダムアクセスプロセスにおいて、制御に係るものは、主に伝送フォーマットにおける伝送時間間隔であるので、Ｅ−ＲＵＣＣＨランダムアクセスに対し、ＵＥ側アップリンク増強型ＭＡＣ層制御エンティティが本当に必要とすることは、伝送時間間隔を選択して確定し、その後、伝送時間間隔とシステム情報配置に基づき、一つの伝送フォーマットを選択し、或いは、伝送フォーマットを選択する時に、それにおける伝送時間間隔を主な選択内容とする。物理層に送信されたＥ−ＲＵＣＣＨランダムアクセス要求情報において、伝送フォーマットにおける伝送ブロック寸法と伝送ブロック数は実際的な意味を有しておらず、物理層は無視してもかまわない。
【００２４】
しかし、Ｅ−ＲＵＣＣＨランダムアクセスにはサービスデータの伝送ブロックが存在しないので、伝送ブロック寸法及び数に基づき伝送フォーマット及びその伝送時間間隔を選択することができない。複数の種類の伝送時間間隔が配置された伝送フォーマットの場合、ＵＥ側アップリンク増強型ＭＡＣ層制御エンティティは、以下の方法の一つに従い、Ｅ−ＲＵＣＣＨランダムアクセスの時の伝送フォーマット及びその伝送時間間隔を選択することができる。
【００２５】
方法１：ＲＮＣに配置された、セルシステム情報放送によってＵＥへ送信されたシステム情報において、異なる伝送時間間隔を有する複数の種類の伝送フォーマットのうち、１種の伝送フォーマット及びその伝送時間間隔をＥ−ＲＵＣＣＨランダムアクセスのために配置して指示する。その後、ＵＥ側アップリンク増強型ＭＡＣ層制御エンティティは、システム情報に基づき、当該伝送フォーマット及びその相応な伝送時間間隔を選択して、Ｅ−ＲＵＣＣＨランダムアクセスを行うことができる。システム情報においては、伝送フォーマット或いは伝送時間間隔のみを配置及び指示し、ＵＥ側アップリンク増強型ＭＡＣ層制御エンティティは、システム情報における当該伝送フォーマットを直接に選択し、或いはシステム情報における伝送時間間隔に基づき当該伝送時間間隔を有する一種の伝送フォーマットを選択してもよい。
【００２６】
方法２：ＵＥ側アップリンク増強型ＭＡＣ層制御エンティティにより、ＵＥ識別及びシステム情報におけるＲＡＣＨ伝送フォーマット数或いは伝送時間間隔数に基づき、１種の伝送フォーマットを選出し、或いは、１種の伝送時間間隔を選択して、且つ当該伝送時間間隔を有する伝送フォーマットを１種選出する。ここで、ＵＥ識別は、ＩＭＳＩ（国際移動ユーザ識別、Ｉｎｔｅｒｎａｔｉｏｎａｌ  Ｍｏｂｉｌｅ  Ｓｕｂｓｃｒｉｂｅｒ  Ｉｄｅｎｔｉｆｉｅｒ）や、Ｕ−ＲＮＴＩ（全局移動通信システム無線ネットワーク一時識別）や、Ｃ−ＲＮＴＩ（セル無線ネットワーク一時識別）などを含むことが可能である。具体的には、例えば、伝送フォーマット番号が０、１、…、Ｎ−１であるＮ個の伝送フォーマットに対し、ＵＥのＩＭＳＩ  ｍｏｄ  Ｎ（ＩＭＳＩをＮで除算した余りを取る）の結果を番号として伝送フォーマットを選択する。
【００２７】
方法３：ＵＥ側アップリンク増強型ＭＡＣ層制御エンティティにより、システム情報における、異なる伝送時間間隔を有する複数の種類の伝送フォーマットから、自ら伝送フォーマットを１種選出する。当該方法は更に、ランダム選択や、サービスに関する優先度及び/或いは伝送フォーマットの優先度に基づいた選択や、伝送フォーマットにおける伝送時間間隔の長さに基づいた選択や、或いはこれらの方法の組合を含むことができる。例えば、優先度の最も高い伝送フォーマットを選択し、或いは、伝送時間間隔の最も短い伝送フォーマットを選択する。
【００２８】
ステップ２：ＵＥ側アップリンク増強型ＭＡＣ層制御エンティティは、今回のアップリンク増強型アクセス要求のＡＳＣを配置する。当該ＡＳＣは、ＵＥ側アップリンク増強型ＭＡＣ層制御エンティティにより、本セルに配置された優先度の最も低いＡＳＣ、及び今回のアップリンク増強型アクセス要求の時に係るサービスロジックチャンネル優先度に基づいて確定されてもよく、ＲＲＣ（無線リソース制御）層により、システム情報或いはＲＲＣメッセージによって確定され、ＵＥ側アップリンク増強型ＭＡＣ層制御エンティティにより直接に利用されてもよい。
【００２９】
ＴＤ-ＳＣＤＭＡシステムにおいて、セル毎のシステム情報には全ての利用可能なＡＳＣが配置され、ここで、ＡＳＣの数値が小さいほど優先度が高い。一方、ＲＲＣ（無線リソース制御）メッセージの無線ベアラー（bearer）設立/再配置などのプロセスにおいて、サービスロジックチャンネル毎にはＭＡＣロジックチャンネル優先度（ＭＬＰ）が１つ配置される。アップリンクスケジューリングアクセスは、あるサービスに関し、且つ、複数のロジックチャンネルを含むことができるので、ＵＥ側アップリンク増強型ＭＡＣ層制御エンティティは、これらの２つの種類の配置情報に基づき、アップリンク増強型アクセス要求のＡＳＣを選択して確定することができる。例えば、２つの種類の優先度配置情報は比較可能性（比較可能性とは、２つの種類の優先度情報の定義と、数値は同じであり、利用方法も同じであるが、ただ通常の利用分野が異なるから、異なる概念が定義されたものである）を備える場合、全ての利用可能なＡＳＣのうち優先度の最も低いＡＳＣと、全てのロジックチャンネルのＭＬＰのうち優先度の最も高いＭＬＰとの２つの優先度から、より高い一つ優先度を、アップリンク増強型アクセス要求のＡＳＣとして選択する。ＲＲＣ層は、システム情報或いはＲＲＣメッセージによって、アップリンク増強型アクセス要求の時に利用されるＡＳＣをＵＥのために配置し、ＵＥ側アップリンク増強型ＭＡＣ層制御エンティティは、当該ＡＳＣを直接に利用してもよい。
【００３０】
ステップ３：ＵＥ側のアップリンク増強型ＭＡＣ層制御エンティティは、ランダムアクセスタイプをアップリンク増強型ランダムアクセスになるよう配置して、アップリンクスケジューリング情報を配置する。
【００３１】
ＴＤ-ＳＣＤＭＡシステムにおいて、前記の２つの異なるランダムアクセス要求に対し、異なるアップリンク同期符号を配置したが、同じＰＲＡＣＨ物理チャンネルリソース及びその配置を共用する。従って、ＭＡＣはランダムアクセス要求を発する時に、ランダムアクセスタイプを物理層に送信することが必要である。
【００３２】
物理層に送信されたランダムアクセス要求メッセージにおいて、前記の伝送フォーマットとＡＳＣとランダムアクセスタイプとを含むことが必要以外、Ｅ−ＲＵＣＣＨランダムアクセスプロセスに送信されることになるアップリンクスケジューリング情報（ＳＩ）も含むことが必要であることは言うまでもない。当該アップリンクスケジューリング情報は、ＵＥ側のアップリンク増強型ＭＡＣ層制御エンティティにより配置される。
【００３３】
ステップ４：ＵＥ側のアップリンク増強型ＭＡＣ層制御エンティティは、物理層へランダムアクセス要求を発する。要求メッセージには、ステップ１と２と３において選択確認及び配置された内容を含む。
【００３４】
ステップ５：ＵＥ側の物理層は、伝送フォーマットとＡＳＣとランダムアクセスタイプとに基づき、相応なアップリンク同期符号及びＰＲＡＣＨ物理リソースを選択して、ランダムアクセスプロセスを発し、アップリンクスケジューリング情報を送信する。
【００３５】
ＵＥ側の物理層はランダムアクセス要求を受信した後に、要求メッセージにおける伝送フォーマットと、ＡＳＣと、ランダムアクセスタイプ、及びシステム情報における配置情報に基づき、相応なアップリンク同期符号及びＰＲＡＣＨ物理リソースを選択して、ランダムアクセスプロセスを発する。当該ランダムアクセスプロセスは、３ＧＰＰ（第３世代移動体通信パートナープロジェクト）標準におけるＴＤ−ＳＣＤＭＡシステムにアップリンク増強型技術を導入した前のランダムアクセスプロセスとは類似である。
【００３６】
前記のＵＥ側のＭＡＣ層と物理層に利用されたシステム情報における配置情報の全ては、ＵＥ側のＲＲＣ層によりシステム情報が受信された後に、ＭＡＣ層と物理層に配置されたものである。
【００３７】
アップリンク増強型技術の相似性を考えると、本発明の方法は、従来の３ＧＰＰ基準（specification）における他のシステムのアップリンク増強型技術、例えば３．８４  Ｍｃｐｓ  ＴＤＤ（時分割二重）、７．６８  Ｍｃｐｓ  ＴＤＤシステムにも適用することができる。
【産業上の利用可能性】
【００３８】
本方法は、アップリンクスケジューリングアクセス制御のランダムアクセスプロセスに配置されることが必要なパラメーター及びその配置方法を明らかにすると共に、物理層がこれらのパラメーターに基づきランダムアクセスプロセス制御を行う方法を提供することにより、アップリンク増強型技術におけるアップリンクスケジューリングアクセスの制御課題を解決することができる。
【図１】
2010520679.tif 000003
【国際調査報告】
2010520679.tif 000004
2010520679.tif 000005
2010520679.tif 000006
2010520679.tif 000007
2010520679.tif 000008
2010520679.tif 000009